(57)【特許請求の範囲】
【請求項１】
チャイム音をスピーカから出力させるチャイム回路をスピーカと共に収納したボディと、前記ボディに装着され前記ボディと共にハウジングを形成するカバーとを備え、前記カバーを前記ボディに対してスライド可能に案内する案内部を前記カバーと前記ボディとの少なくとも一方に備え、前記案内部と共働して前記カバーを前記ボディに保持する固定ねじが前記カバーに設けられた貫通穴を貫通して前記ボディに螺合し、前記貫通穴は前記カバーの前記ボディに対するスライド方向に沿って形成され前記固定ねじの脚部が貫通可能でかつ前記固定ねじの頭部が貫通不可能となるように幅寸法が設定された長穴部を備え、前記カバーにはチャイム音の音量を調節するためにボディに配置した音量調節ハンドルに対応する形状の開口部が設けられていて、前記音量調節ハンドルを前記開口部から露出させる位置と前記音量調節ハンドルを覆う位置との間で前記固定ねじの脚部が前記長穴部を貫通した状態で前記カバーが前記ボディに対してスライド可能であることを特徴とする電子チャイム。
【請求項２】
前記カバーのスライド範囲において前記固定ねじが前記貫通穴の長手方向の中間部に位置するときは前記音量調節ハンドルが前記ボディと前記カバーとに覆われ、前記固定ねじが前記貫通穴の一端部に位置するときは前記音量調節ハンドルが前記開口部から露出し、前記貫通穴の他端部には前記固定ねじの頭部が通過可能な挿抜部が設けられていることを特徴とする請求項１記載の電子チャイム。
【発明の詳細な説明】
【０００１】
【発明の属する技術分野】
本発明は、音量調節ハンドルを備えた電子チャイムに関するものである。
【０００２】
【従来の技術】
音量調節ハンドルを備えた電子チャイムとして、例えばエレベータが所定の階に到着したときにチャイム音を発生させるエレベータ用の電子チャイムがある。
【０００３】
エレベータ用の電子チャイムが取り付けられる場所としては、図１０（ａ），（ｂ）に示すように、各階に設けられエレベータのケージＥＬ１の出入り口となるドアＥＬ２の上端部をガイドする構造材ＥＬ３間に形成された空洞Ｐ１内に取り付けられる場合や、図１１に示すように、ケージＥＬ１の上壁に設けられた貫通穴Ｐ２の外側に取り付けられる場合、あるいは図１２に示すように、ケージＥＬ１の側壁Ｐ３に埋め込まれる場合がある。
【０００４】
このような電子チャイムは、使用する環境に合わせて音量を適宜調節するための音量調節ハンドルを備える。
【０００５】
【発明が解決しようとする課題】
通常、上記のような電子チャイムは音量を調節してから上述のような所定の位置に取り付けられる。ここで、従来は音量調節ハンドルが常に露出していたため、取付時に誤って音量調節ハンドルに触れ、取付作業の前に調節した音量からずれたり音量調節ハンドルが破損したりすることがあった。
【０００６】
本発明は、上記事由に鑑みてなされたものであり、その目的は、通常は音量調節ハンドルが覆われていて、必要に応じて容易に音量調節ハンドルを露出させることのできる電子チャイムを提供することにある。
【０００７】
【課題を解決するための手段】
請求項１の発明は、チャイム音をスピーカから出力させるチャイム回路をスピーカと共に収納したボディと、前記ボディに装着され前記ボディと共にハウジングを形成するカバーとを備え、前記カバーを前記ボディに対してスライド可能に案内する案内部を前記カバーと前記ボディとの少なくとも一方に備え、前記案内部と共働して前記カバーを前記ボディに保持する固定ねじが前記カバーに設けられた貫通穴を貫通して前記ボディに螺合し、前記貫通穴は前記カバーの前記ボディに対するスライド方向に沿って形成され前記固定ねじの脚部が貫通可能でかつ前記固定ねじの頭部が貫通不可能となるように幅寸法が設定された長穴部を備え、前記カバーにはチャイム音の音量を調節するためにボディに配置した音量調節ハンドルに対応する形状の開口部が設けられていて、前記音量調節ハンドルを前記開口部から露出させる位置と前記音量調節ハンドルを覆う位置との間で前記固定ねじの脚部が前記長穴部を貫通した状態で前記カバーが前記ボディに対してスライド可能であることを特徴とする。
【０００８】
請求項２の発明は、請求項１記載の発明において、前記カバーのスライド範囲において前記固定ねじが前記貫通穴の長手方向の中間部に位置するときは前記音量調節ハンドルが前記ボディと前記カバーとに覆われ、前記固定ねじが前記貫通穴の一端部に位置するときは前記音量調節ハンドルが前記開口部から露出し、前記貫通穴の他端部には前記固定ねじの頭部が通過可能な挿抜部が設けられていることを特徴とする。
【０００９】
【発明の実施の形態】
以下、本発明の実施の形態を図面に基づいて説明する。
【００１０】
本実施形態のエレベータ用電子チャイムは、エレベータのケージが所望の階に到着したときにチャイム音を発生するものであり、図２に示すように、電子チャイム音発生用の回路基板３と、この回路基板３と接続線４を介して接続され回路基板３からの信号に応じてチャイム音を発生するスピーカ５と、合成樹脂（例えばＡＢＳ樹脂）製のボディ１とカバー２とからなり回路基板３とスピーカ５とを収納するハウジングとを備える。以下、図２における紙面裏向きを前方とし、上下左右は図２を基準とする。
【００１１】
ボディ１は矩形平板状の底板１１の周縁部から後方へ延設された外周壁１２と、外周壁の内側に設けられ回路基板３とスピーカ５とを囲む内周壁１３とを備えることで水滴の侵入を防ぐ構造になっている。カバー２は図５に示すように、カバー２を貫通しボディ１に螺合する固定ねじ８ａとボディに設けられた引掛け部１２２Ｄとによってボディ１の後部に保持され、外周壁１２の内側を閉塞するものである。以下で細部について説明する。
【００１２】
図３に示すように、ボディ１の外周壁１２は、矩形状の底板１１の周縁部から後方へ一体に延設された外周上壁１２Ｕ、外周下壁１２Ｄ、外周左壁１２Ｌおよび外周右壁１２Ｒからなる。また、内周壁１３は、外周壁１２の内側における底板１１の後面から後方へ外周壁１２に沿って延設された内周上壁１３Ｕ、内周下壁１３Ｄ、内周左壁１３Ｌおよび内周右壁１３Ｒから断面矩形状に形成されている。底板１１の上下端付近には左右へ突出した取付片１４が設けられている。取付片１４には電子チャイムを施工面にねじ止めする際にねじの脚部が挿通する取付穴１４ａが貫設されている。
【００１３】
内周右壁１３Ｒの中央部分は、図３（ｂ）に示すように右方に凸の形状に形成されており、図３（ｄ）に示すようにその部分の中央部の後端には切欠き１３１Ｒが形成されている。この切欠き１３１Ｒは、回路基板３に接続された配線を内周壁１３の外側に引き出すためのものである。外周上壁１２Ｕの右端付近と外周下壁１２Ｄの右端付近とにはそれぞれ切欠き１２１Ｕ、１２１Ｄが設けられており、切欠き１３１Ｒから引き出された配線は切欠き１２１Ｕ、１２１Ｄから外部に引き出される。
【００１４】
内周壁１３の内側における底板１１の中央部には、スピーカ５からの音を外部に出すための音響穴１１ａが設けられており、音響穴１１ａを挟んで一対の円柱状のスピーカ止め突部１９が底板１１の後面から後方に延設されている。そして、各スピーカ止め突部１９にはねじ止め用の穴１９ａが形成されている。また、底板１１の後面から後方へ突出した円環状のスピーカ保持部１５が音響穴１１ａを囲むように設けられている。また、内周壁１３の内側四隅それぞれの近傍における底板１１の後面から円柱状の基板止め突部１７が後方に延設されている。そして、基板止め突部１７には、それぞれねじ止め用の穴１７ａが形成されている。
【００１５】
スピーカ５は、図２に示すようにスピーカ保持部１５に囲まれた位置において図５の破線で示すようにコーン部を音響穴１１ａに向けた状態で、スピーカ止め突部１９の穴１９ａに螺合するねじ８ｂがそれぞれ挿通した２つのワッシャ８ｄによってボディ１の底板に押しつけられ固定されている。
【００１６】
回路基板３は図８に示すようにボディ１の内周壁１３の内側に収まる矩形状であって、ねじの脚部が挿通する切欠き３ａが上下の縁部の左右端付近にそれぞれ１箇所ずつ設けられている。回路基板３の中央付近には円形のスピーカ穴３ｂが設けられていて、回路基板３は、スピーカ穴３ｂにスピーカ５の後部が貫通した状態で４つのねじ８ｃによって基板止め突部１７にねじ止めされている。回路基板３の後側には、スピーカ５にチャイム音を出力させるチャイム回路を構成する電子部品が実装されている。チャイム回路はチャイム音の音量を調節するための半固定抵抗６を含み、半固定抵抗６にはプラスドライバなどの調整器具を用いて操作される音量調節ハンドル６ａが設けられている。
【００１７】
図３（ｂ），（ｃ）に示すように、底板１１における外周上壁１２Ｕと内周上壁１３Ｕとの間には、カバー２をボディ１に固定する固定ねじ８ａが挿入される固定ねじ穴１６ａが前後方向に貫通した円筒状の筒部１６が底板１１の後面から後方に延設されており、筒部１６の先部の内側には、図６に示すように固定ねじ８ａが螺合する金属製のナット９が熱圧入されている。
【００１８】
外周下壁１２Ｄの中央部には、後方へ矩形状に延びた延長部１２３Ｄが形成されており、延長部１２３Ｄの後端には矩形状の引掛け片１２２Ｄが上方へ延設されている。
【００１９】
カバー２は、図４に示すように矩形状の底板２１の周縁から前方へ延設された上側壁２２Ｕ、下側壁２２Ｄ、左側壁２２Ｌ、および右側壁２２Ｒからなる側壁２２を備える。
【００２０】
また、底板２１の右下隅付近にはカバー２がボディ１に対して所定の位置にあるときに音量調節ハンドルを露出させる円形の開口部２３ａが貫設されている。そして、開口部２３ａの周縁部における底板２１の前面には、音量調節ハンドルを操作する際に調節器具をガイドする円筒状の筒部２３が前方へ延設されている。
【００２１】
さらに、固定ねじ８ａが貫通する貫通穴７が設けられた突部２４が底板２１の前面の上端部の左右方向中央部から前方へ突設されている。突部２４の外周面は断面が左右に延びた長円形になっている。
【００２２】
底板２１の後面において突部２４に対応した位置には、左右に延びた長円形に開口したスライド穴２４ａが設けられている。スライド穴２４ａの開口部の上下の幅寸法は固定ねじ８ａの頭部の外径程度であってそれよりも大きく設定されている。
【００２３】
貫通穴７はスライド穴２４ａの前方に連続して前後に貫設されている。図４（ｂ）に示すように、貫通穴７は突部２４の上下方向の中央部においてカバー２の左右方向の中央部から右側に延長された長穴部７ａと、長穴部７ａに連続して貫通穴７の左端部に形成された円形の挿抜部７ｂとからなるダルマ穴状に形成されている。長穴部７ａは上下の幅寸法が固定ねじ８ａの頭部よりも狭くかつ固定ねじ８ａの脚部よりも広く形成され、挿抜部７ｂの内径はスライド穴２４ａの上下の幅寸法と略等しく設定されている。さらに挿抜部７ｂはスライド穴２４ａの左端部と連続しており、したがって突部２４の前端部には後方から見てＵ字状の台座部２４ｅが形成されている。
【００２４】
図４（ｄ）に示すように、台座部２４ｅは、それぞれ底板２１の後面からの深さ寸法が異なる３つの部位からなり、挿抜部７ｂに近い側から順にしきり部２４ｃ、固定部２４ｂ、調整部２４ｄとなっている。図４（ｃ），（ｄ）及び図７に示すように、底板２１の後面からの深さ寸法はしきり部２４ｃが最も小さく、固定部２４ｂが最も大きく形成されており、調整部２４ｄはそれらの中間の深さ寸法に形成されている。固定部２４ｂは、カバー２の左右方向の中央部において、後方から見てスライド穴２４ａの上下の幅寸法と略同じ直径を有する円に囲まれた範囲に形成されている。しきり部２４ｃは、長穴部７ａと挿抜部７ｂとの境界を挟んで挿抜部７ｂと固定部２４ｂとの間に形成されている。
【００２５】
また、側壁２２の内側と繋がり側壁２２よりも前方に突出した案内爪２８が底部２２の前面の上端部と下端部とのそれぞれから一対ずつ前方に延設されている。
【００２６】
カバー２の下端の中央部には上方へ矩形状に窪んだ凹所２２ｂが設けられている。凹所２２ｂの左右の幅寸法は引掛かり片２２１Ｄの左右の幅寸法よりも大きく設定されている。さらに、凹所２２ｂの上端部から凹所２２ｂの左右と繋がって下方に延びた引掛かり片２２１Ｄが凹所２２ｂの前端部に設けられている。凹所２２ｂの窪み寸法と引掛かり片２２１Ｄの上下の幅寸法との差ｄ１（図４（ｂ）参照）はボディ１の下側壁１２Ｄの下面から引掛け片１２２Ｄの先端までの高さ寸法ｄ２（図３（ｃ）参照）よりも小さく形成されている。一方、凹所２２ｂの深さ寸法ｄ３（図４（ｂ）参照）はボディ１の下側壁１２Ｄの下面から引掛け片１２２Ｄの先端までの高さ寸法ｄ２（図３（ｃ）参照）よりも大きく形成されている。
【００２７】
カバー２をボディ１に装着するときには、カバー２の引掛かり片２２１Ｄをボディ１の引掛け片１２２Ｄの前方に差し込んだ状態で、ボディ１に埋めこまれたナット９に螺合した固定ねじ８ａの頭部を挿抜部７ｂに貫通させ、カバー２の上側壁２２Ｕの前端とボディ１の外周上壁１２Ｕの後端とを当接させる。ここにおいてカバーの案内爪２８がそれぞれボディの外周上壁１２Ｕ，外周下壁１２Ｄに当接してカバー２の上下への移動が規制され、ボディ１の引掛け片１２２Ｄとカバー２の引掛かり片２２１Ｄとによってカバー２下端部の後方への移動が規制されてカバー２はボディ１に対して左右にスライド可能になる。すなわちボディ１の外周上壁１２Ｕ，外周下壁１２Ｄ及び引掛け片１２２Ｄと、カバー２の案内爪２８と引掛かり片２２１Ｄとが案内部として機能する。
【００２８】
音量を調節する際は、固定ねじ８ａの頭部がスライド穴２４ａの右端部に当接するまでカバー２をボディ１に対して左にスライドさせる。ここにおいて図１に示すように開口部２３ａから音量調節ハンドル６ａが露出し、図１（ｂ）に示すようにプラスドライバ等の調整用工具Ｔを開口部２３ａに挿通させて音量調節ハンドル６ａを操作することが可能になる。このとき、固定ねじ８ａの頭部が固定部２４ｂの後面よりも後方かつしきり部２４ｃの後面よりも前方に位置する程度に固定ねじ８ａを締めておけば、しきり部２４ｃの存在によってカバー２のボディ１に対する右へのスライドが規制されるため、固定ねじ８ａの頭部が挿抜部７ｂの位置まで移動することがなく、したがって固定ねじ８ａの頭部は貫通穴７を通過できないのでカバー２がボディ１から外れることはない。
【００２９】
さらに、音量調節ツマミ６ａが覆われた状態でカバー２をボディ１に固定するには、図９に示すようにカバー２とボディ１とが重なるようにカバー２をスライドさせる。ここにおいて固定ねじ８ａの頭部が固定部２４ｂの後方に位置するので、固定ねじ８ａを締めることにより固定ねじ８ａの頭部が固定部２４ｂに収まり、スライドが規制されカバー２がボディ１に固定される。
【００３０】
カバー２をボディ１から取り外すときは、固定ねじ８ａの頭部がしきり部２４ｃの後面よりも後方かつカバー２の底板２１の後面より前方に位置するように固定ねじ８ａを緩め、固定ねじ８ａの頭部がスライド穴２４ａの左端部に当接するまでカバー２をボディ１に対して右にスライドさせる。ここにおいて固定ねじ８ａの頭部は貫通穴７の挿抜部７ｂの後方に位置する。そしてカバー２の上端部をボディ１から離して固定ねじ８ａを挿抜部７ｂから抜き、カバー２をボディ１に対して上方に移動させることによりカバー２をボディ１から取り外すことが可能になる。
【００３１】
以上の構成によれば、音量を調節する際はカバー２をスライドさせるだけで音量調節ハンドル６ａが露出し、音量の調節が可能になるので、カバー２を取り外す必要がなく、施工性が向上し、またカバー２を紛失するおそれがない。そして、音量を調節した後、電子チャイムを所定の位置に取り付ける際は音量調節ハンドル６ａがカバー２に覆われた状態にすることで取付作業の前後で音量の調整がずれたり音量調節ハンドル６ａが破損したりすることを防ぐことが可能になる。また、固定ねじ８ａをボディ１に螺合させたままでカバー２を着脱することができるので、固定ねじ８ａを紛失するおそれがない。
【００３２】
【発明の効果】
請求項１の発明は、チャイム音をスピーカから出力させるチャイム回路をスピーカと共に収納したボディと、前記ボディに装着され前記ボディと共にハウジングを形成するカバーとを備え、前記カバーを前記ボディに対してスライド可能に案内する案内部を前記カバーと前記ボディとの少なくとも一方に備え、前記案内部と共働して前記カバーを前記ボディに保持する固定ねじが前記カバーに設けられた貫通穴を貫通して前記ボディに螺合し、前記貫通穴は前記カバーの前記ボディに対するスライド方向に沿って形成され前記固定ねじの脚部が貫通可能でかつ前記固定ねじの頭部が貫通不可能となるように幅寸法が設定された長穴部を備え、前記カバーにはチャイム音の音量を調節するためにボディに配置した音量調節ハンドルに対応する形状の開口部が設けられていて、前記音量調節ハンドルを前記開口部から露出させる位置と前記音量調節ハンドルを覆う位置との間で前記固定ねじの脚部が前記長穴部を貫通した状態で前記カバーが前記ボディに対してスライド可能とするものであり、音量を調節する際はカバーをスライドさせればよく、カバーを取り外す必要がないので、施工性が向上し、またカバーを紛失するおそれがない。そして、電子チャイムを所定の位置に取り付ける際は音量調節ハンドルがカバーに覆われた状態にすることで取付作業の前後で音量の調整がずれたり音量調節ハンドルが破損したりすることを防ぐことが可能になる。
【００３３】
請求項２の発明は、請求項１記載の発明において、前記カバーのスライド範囲において前記固定ねじが前記貫通穴の長手方向の中間部に位置するときは前記音量調節ハンドルが前記ボディと前記カバーとに覆われ、前記固定ねじが前記貫通穴の一端部に位置するときは前記音量調節ハンドルが前記開口部から露出し、前記貫通穴の他端部には前記固定ねじの頭部が通過可能な挿抜部が設けられているものであり、カバーをスライドさせて固定ねじを挿抜部から抜くことにより固定ねじをボディに螺合させたままでカバーを着脱することができるので、固定ねじを紛失するおそれがない。
【図面の簡単な説明】
【図１】（ａ）（ｂ）ともに本発明の実施形態において音量調節ハンドルが露出した状態を示す図であり、（ａ）は後面図、（ｂ）は下面図である。
【図２】本発明にかかる一実施形態の電子チャイムを示す一部破断した後面図である。
【図３】本発明の実施形態に用いるボディを示す図であって、（ａ）は前面図、（ｂ）は後面図、（ｃ）はＡ−Ａ線断面図、（ｄ）はＢ−Ｂ線断面図、（ｅ）は上面図、（ｆ）は下面図である。
【図４】本発明の実施形態に用いるカバーを示す図であって、（ａ）は前面図、（ｂ）は後面図、（ｃ）はＣ−Ｃ線断面図、（ｄ）はＤ−Ｄ線断面図、（ｅ）は下面図である。
【図５】本発明の実施形態に用いるハウジングを示す断面図である。
【図６】本発明の実施形態において固定ねじが螺合するナットが配置される位置を示す断面図である。
【図７】本発明の実施形態を示す要部断面図であって、（ａ）は図４におけるＥ−Ｅ線断面図、（ｂ）は図４におけるＦ−Ｆ線断面図である。
【図８】本発明の実施形態に用いる回路基板を示す図である。
【図９】（ａ）（ｂ）ともに本発明の実施形態において音量調節ハンドルが覆われた状態を示す図であり、（ａ）は背面図、（ｂ）は下面図である。
【図１０】電子チャイムが取り付けられる位置の例を示す図である。
【図１１】電子チャイムが取り付けられる位置の別の例を示す図である。
【図１２】電子チャイムが取り付けられる位置のさらに別の例を示す図である。
【符号の説明】
１  ボディ
１２Ｕ  外周上壁
１２Ｄ  外周下壁
１２２Ｄ  引掛け片
２  カバー
２２１Ｄ  引掛かり片
２３ａ  開口部
２８  案内爪
５  スピーカ
６ａ  音量調節ハンドル
７  貫通穴
７ａ  長穴部
７ｂ  挿抜部
８ａ  固定ねじ
【図１】
0003906670.tif 000002
【図２】
0003906670.tif 000003
【図３】
0003906670.tif 000004
【図４】
0003906670.tif 000005
【図５】
0003906670.tif 000006
【図６】
0003906670.tif 000007
【図７】
0003906670.tif 000008
【図８】
0003906670.tif 000009
【図９】
0003906670.tif 000010
【図１０】
0003906670.tif 000011
【図１１】
0003906670.tif 000012
【図１２】
0003906670.tif 000013